【手続補正書】
【提出日】平成23年9月26日(2011.9.26)
【手続補正１】
【補正対象書類名】特許請求の範囲
【補正対象項目名】全文
【補正方法】変更
【補正の内容】
【特許請求の範囲】
【請求項１】
ユーザの有効体重対システム圧を予測するための空気差圧システムをキャリブレーションする方法であって、
該ユーザの身体にかかる体重力が標的力の値に到達するまで、ユーザの身体の一部を包囲するチャンバ内の圧力を調節する手段を動作することと、
該標的力の値における該チャンバ圧を測定し、第１の（圧力、力）データ点を生成することと、
該第１の（圧力、力）データ点を少なくとも１つの他の（圧力、力）データ点と共に使用し、該ユーザによって経験される体重力と該チャンバ内の圧力との間の関係を決定することと
を包含する、方法。
【請求項２】
前記標的力の値は、事前設定力の値である、請求項１に記載の方法。
【請求項３】
前記関係を決定する際に使用される前記少なくとも１つの他の（圧力、力）データ点のうちの１つは、周囲圧力において測定される前記ユーザの体重である、請求項１に記載の方法。
【請求項４】
システム圧の関数として、ユーザの有効体重を予測するための装置であって、
ユーザの身体の少なくとも一部を受け取り、かつ、包囲するように構成されているチャンバを備えている、空気差圧システムと、
該空気差圧システムと連結されている、処理論理と
を備え、
該処理論理は、該ユーザにかかる体重力が標的力の値に到達するまで、該チャンバ内の圧力を調節し、該標的力の値における該チャンバ圧を測定して、第１の（圧力、力）データ点を決定し、該第１の（圧力、力）データ点を使用して、該チャンバ内の圧力の関数として、該ユーザによって経験される体重力を決定するように構成されている、
装置。
【請求項５】
空気差圧システムをキャリブレーションする方法であって、
空気差圧システムのチャンバ内の圧力を調節する手段を動作することであって、該チャンバは、ユーザの身体の少なくとも一部を包囲する、ことと、
圧力の関数として、該ユーザによって供給される苦痛指標を用いて、ユーザのための圧力対苦痛関係を構築することと
を包含する、方法。
【請求項６】
前記空気差圧システムは、運動器具を備え、前記圧力対苦痛関係は、該運動器具の動作を制御するために使用される、請求項５に記載の方法。
【請求項７】
前記運動器具は、トレッドミルを備え、前記圧力対苦痛関係は、該トレッドミルの速度および該トレッドミルの傾斜のうちの少なくとも１つを制御するために使用される、請求項６に記載の方法。
【請求項８】
前記運動器具は、ステッパーマシーンを備え、前記圧力対苦痛関係は、該ステッパーマシーンの抵抗を制御するために使用される、請求項６に記載の方法。
【請求項９】
前記運動器具は、エアロバイクを備え、前記圧力対苦痛関係は、該エアロバイクの抵抗を制御するために使用される、請求項６に記載の方法。
【請求項１０】
ユーザの有効体重対システム圧を予測するための装置であって、
ユーザインターフェースと、ユーザの身体の少なくとも一部を受け取り、かつ、包囲するように構成されているチャンバとを備えている、空気差圧システムと、
該空気差圧システムと連結されているプロセッサであって、該チャンバ内の圧力を調節し、該ユーザインターフェースを介して、該ユーザから苦痛指標を受信し、該ユーザのための苦痛対チャンバ圧関係を構築するように構成されている、プロセッサと
を備えている、装置。
【請求項１１】
前記苦痛対チャンバ圧関係は、前記空気差圧システム内に含まれる運動器具の動作を制御するために使用される、請求項１０に記載の装置。
【請求項１２】
ユーザの有効体重対システム圧を予測するための空気差圧システムをキャリブレーションする方法であって、
ユーザの身体の少なくとも一部を包囲するように構成された空気差圧システムのチャンバを提供することであって、該空気差圧システムは、該チャンバ内の該ユーザの身体が表面と物理的接触にあるかどうか感知するように構成されているセンサを備えている、ことと、
リフトオフ圧が到達されるまで、該チャンバ内の圧力を調節する手段を動作することであって、該リフトオフ圧は、該センサが該ユーザの身体と該表面との間の物理的接触の断絶を検出する圧力である、ことと、
該リフトオフ圧を使用して、該チャンバ内の圧力をキャリブレーションすることと
を包含する、方法。
【請求項１３】
前記リフトオフ圧は、前記ユーザのための所望の有効体重をもたらすために要求されるチャンバ圧を決定するために使用可能である、請求項１２に記載の方法。
【請求項１４】
前記リフトオフ圧は、前記ユーザのための最大安全チャンバ圧を決定し、使用の間のリフトオフを防止するために使用される、請求項１２に記載の方法。
【請求項１５】
ユーザの有効体重対システム圧を予測するための装置であって、
ユーザの身体の少なくとも一部を受け取り、かつ、包囲するためのチャンバと、該チャンバ内の該ユーザの身体が表面と物理的接触にあるかどうか検出するように構成されているセンサとを含む、空気差圧システムと、
該空気差圧システムと連結されているプロセッサであって、該プロセッサは、該空気差圧システムの該チャンバを膨張させて、リフトオフ圧を測定するように構成されており、該リフトオフ圧は、該センサが該ユーザの身体と該表面との間の物理的接触が断絶したことを検出する時の圧力である、プロセッサと
を備える、装置。
【請求項１６】
ユーザの有効体重対システム圧を予測するための空気差圧システムをキャリブレーションする方法であって、
気体を使用して、空気差圧システム内のチャンバを加圧する手段を動作することであって、該チャンバは、ユーザの身体の少なくとも一部を包囲する、ことと、
該チャンバ内および／または外への気体の流量を使用して、該チャンバ内の圧力を決定することと
を包含する、方法。
【請求項１７】
排気弁位置または開口部を使用して、前記チャンバ内の圧力を決定することを包含する、請求項１６に記載の方法。
【請求項１８】
前記チャンバ内へ気体を圧送する送風機によって誘起される電圧および／または電流を使用して、該チャンバ内の圧力を決定することを包含する、請求項１６に記載の方法。
【請求項１９】
ユーザの有効体重対システム圧を予測するための空気差圧システムをキャリブレーションするための方法であって、
空気差圧システムのチャンバ内の該ユーザの身体を支持する運動器具のモータの開始電流および／または電圧を測定することによって、該チャンバによって包囲される該ユーザの身体の少なくとも一部を有するユーザの有効体重を測定することと、
該ユーザの有効体重を該チャンバ内の圧力と相関させることと
を包含する、方法。
【請求項２０】
前記チャンバ内および／または外への気体の流量を使用して、該チャンバ内の圧力を測定することを包含する、請求項１９に記載の方法。
【手続補正２】
【補正対象書類名】明細書
【補正対象項目名】００１９
【補正方法】変更
【補正の内容】
【００１９】
ユーザの有効体重対システム圧を予測するための空気差圧システムをキャリブレーションするさらなる方法が記載される。本方法は、チャンバ内のユーザの身体を支持する運動器具のモータの開始電力（電圧および／または電流）を測定することによって、ユーザの有効体重を測定することであって、ユーザは、空気差圧システムのチャンバによってユーザの身体の少なくとも一部を包囲されることを包含する。本方法は、ユーザの有効体重をチャンバ圧と相関させることを包含する。いくつかの変形例では、チャンバ圧は、チャンバ内および／または外への気体の流量を使用して決定可能である。
例えば、本発明は以下の項目を提供する。
（項目１）
ユーザの有効体重対システム圧を予測するための空気差圧システムをキャリブレーションする方法であって、
該ユーザの身体にかかる体重力が標的力の値に到達するまで、ユーザの身体の一部を包囲するチャンバ内の圧力を調節することと、
該標的力の値における該チャンバ圧を測定し、第１の（圧力、力）データ点を生成することと、
該第１の（圧力、力）データ点を少なくとも１つの他の（圧力、力）データ点と共に使用し、該ユーザによって経験される体重力と該チャンバ内の圧力との間の関係を決定することと
を包含する、方法。
（項目２）
上記標的力の値は、事前設定力の値である、項目１に記載の方法。
（項目３）
上記関係を決定する際に使用される上記少なくとも１つの他の（圧力、力）データ点のうちの１つは、周囲圧力において測定される上記ユーザの体重である、項目１に記載の方法。
（項目４）
システム圧の関数として、ユーザの有効体重を予測するための装置であって、
ユーザの身体の少なくとも一部を受け取り、かつ、包囲するように構成されているチャンバを備えている、空気差圧システムと、
該空気差圧システムと連結されている、処理論理と
を備え、
該処理論理は、該ユーザにかかる体重力が標的力の値に到達するまで、該チャンバ内の圧力を調節し、該標的力の値における該チャンバ圧を測定して、第１の（圧力、力）データ点を決定し、該第１の（圧力、力）データ点を使用して、該チャンバ内の圧力の関数として、該ユーザによって経験される体重力を決定するように構成されている、
装置。
（項目５）
空気差圧システムをキャリブレーションする方法であって、
空気差圧システムのチャンバ内の圧力を調節することであって、該チャンバは、ユーザの身体の少なくとも一部を包囲する、ことと、
圧力の関数として、該ユーザによって供給される苦痛指標を受信することと、
該ユーザのための圧力対苦痛関係を構築することと
を包含する、方法。
（項目６）
上記空気差圧システムは、運動器具を備え、上記圧力対苦痛関係は、該運動器具の動作を制御するために使用される、項目５に記載の方法。
（項目７）
上記運動器具は、トレッドミルを備え、上記圧力対苦痛関係は、該トレッドミルの速度および該トレッドミルの傾斜のうちの少なくとも１つを制御するために使用される、項目６に記載の方法。
（項目８）
上記運動器具は、ステッパーマシーンを備え、上記圧力対苦痛関係は、該ステッパーマシーンの抵抗を制御するために使用される、項目６に記載の方法。
（項目９）
上記運動器具は、エアロバイクを備え、上記圧力対苦痛関係は、該エアロバイクの抵抗を制御するために使用される、項目６に記載の方法。
（項目１０）
ユーザの有効体重対システム圧を予測するための装置であって、
ユーザインターフェースと、ユーザの身体の少なくとも一部を受け取り、かつ、包囲するように構成されているチャンバとを備えている、空気差圧システムと、
該空気差圧システムと連結されているプロセッサであって、該チャンバ内の圧力を調節し、該ユーザインターフェースを介して、該ユーザから苦痛指標を受信し、該ユーザのための苦痛対チャンバ圧関係を構築するように構成されている、プロセッサと
を備えている、装置。
（項目１１）
上記苦痛対チャンバ圧関係は、上記空気差圧システム内に含まれる運動器具の動作を制御するために使用される、項目１０に記載の装置。
（項目１２）
ユーザの有効体重対システム圧を予測するための空気差圧システムをキャリブレーションする方法であって、
空気差圧システムのチャンバによって、ユーザの身体の少なくとも一部を包囲することであって、該空気差圧システムは、該チャンバ内の該ユーザの身体が表面と物理的接触にあるかどうか感知するように構成されているセンサを備えている、ことと、
リフトオフ圧が到達されるまで、該チャンバ内の圧力を調節することであって、該リフトオフ圧は、該センサが該ユーザの身体と該表面との間の物理的接触の断絶を検出する圧力である、ことと、
該リフトオフ圧を使用して、該チャンバ内の圧力をキャリブレーションすることと
を包含する、方法。
（項目１３）
上記リフトオフ圧は、上記ユーザのための所望の有効体重をもたらすために要求されるチャンバ圧を決定するために使用可能である、項目１２に記載の方法。
（項目１４）
上記リフトオフ圧は、上記ユーザのための最大安全チャンバ圧を決定し、使用の間のリフトオフを防止するために使用される、項目１２に記載の方法。
（項目１５）
ユーザの有効体重対システム圧を予測するための装置であって、
ユーザの身体の少なくとも一部を受け取り、かつ、包囲するためのチャンバと、該チャンバ内の該ユーザの身体が表面と物理的接触にあるかどうか検出するように構成されているセンサとを含む、空気差圧システムと、
該空気差圧システムと連結されているプロセッサであって、該プロセッサは、該空気差圧システムの該チャンバを膨張させて、リフトオフ圧を測定するように構成されており、該リフトオフ圧は、該センサが該ユーザの身体と該表面との間の物理的接触が断絶したことを検出する時の圧力である、プロセッサと
を備える、装置。
（項目１６）
ユーザの有効体重対システム圧を予測するための空気差圧システムをキャリブレーションする方法であって、
気体を使用して、空気差圧システム内のチャンバを加圧することであって、該チャンバは、ユーザの身体の少なくとも一部を包囲する、ことと、
該チャンバ内および／または外への気体の流量を使用して、該チャンバ内の圧力を決定することと
を包含する、方法。
（項目１７）
排気弁位置または開口部を使用して、上記チャンバ内の圧力を決定することを包含する、項目１６に記載の方法。
（項目１８）
上記チャンバ内へ気体を圧送する送風機によって誘起される電圧および／または電流を使用して、該チャンバ内の圧力を決定することを包含する、項目１６に記載の方法。
（項目１９）
ユーザの有効体重対システム圧を予測するための空気差圧システムをキャリブレーションするための方法であって、
空気差圧システムのチャンバ内の該ユーザの身体を支持する運動器具のモータの開始電流および／または電圧を測定することによって、該チャンバによって包囲される該ユーザの身体の少なくとも一部を有するユーザの有効体重を測定することと、
該ユーザの有効体重を該チャンバ内の圧力と相関させることと
を包含する、方法。
（項目２０）
上記チャンバ内および／または外への気体の流量を使用して、該チャンバ内の圧力を測定することを包含する、項目１９に記載の方法。